(57)【要約】      （修正有）【課題】一般住宅の室内で大量の洗濯物を掛けて干すとき、簡単な操作をもって、しかも、丈夫で安定した状態で、これに対処するための折り畳み式の洗濯物干しラックを提供する。【解決手段】数本の棹５を横列に嵌めこんだ２本の支柱４からなる二つの脚部２と、それぞれの支柱４の最上部に付設した、数本の棹５を横列に嵌め込んだ支持板６の先端部を重ね合わせた狭間に縦に調整板７を差し込み、支持板６の上からピン１を通し、かつ、支持板６から外して調整板７の下部にピン２を通し、二つの脚部２を接続する連結部３をもって構築される。【選択図】図１
0003198678.tif 000002
【実用新案登録請求の範囲】
【請求項１】
数本の棹を横列に嵌め込んだ２本の支柱からなる二つの脚部、また、それぞれの脚部の支柱の最上部に付設した、数本の棹を横列に嵌め込んだ支持板の先端部で重ね合せた狭間に調整板を縦に刺し込み、支持板の上からピン１を通し、かつ、支持板から外して調整板の下部にピン２を通し、二つの脚部を接続する連結部をもって構築された、折り畳み式の洗濯物干しラック
【請求項２】
それぞれの脚部の支柱の最上部に付設した支持板よりも上部に備置し、二つの脚部に渡した閉脚ストッパーを特徴とした、請求項１項の折り畳み式の洗濯物干しラック
【考案の詳細な説明】
【技術分野】
【０００１】  この考案は、室内用を主とする折り畳み式の洗濯しラックに関する装置である。
【背景技術】
【０００２】  洗濯物は、屋外で干す場合が多いかもしれないが、風雨や花粉の影響、あるいは、建物の景観を考慮して、室内で干す場合もかなりある。ところが、家族全員の大量の洗濯物を室内で干すとなると、一般の住居では場所的に限度がある。【０００３】  そこで、室内の狭い場所でも、大量の洗濯物を干すために、洗濯物干しラック（台）について、いろいろな工夫が試みられている。しかし、実際には、誰でも簡単に操作できて、しかも、丈夫で安定した洗濯物干しラックは中々見当たらない。
【考案の開示】
【考案が解決しようとする課題】
【０００４】  この考案が解決しようする問題点は、次の通りである。【０００５】  先ず、風雨や花粉の影響、あるいは、建物の景観を考慮すると、洗濯物を屋外ばかりではなく、室内で干す場合も起こり、その結果、室内の限られた狭い場所で洗濯物を干す装置が必要となる。【０００６】  次に、洗濯物の分量が少ないときでも、家族全員の大量の洗濯物でも、それぞれの場合に対応して、洗濯物を掛けて干す装置が必要となる。【０００７】  最後に、誰でも、簡単に操作して洗濯物を掛けて干し、かつ、洗濯物を掛けても丈夫で安定し、また、使用を終えた後も、折り畳んで場所を取らないで格納する必要がある。
【課題を解決するための手段】
【０００８】  この考案が解決する手段は、次の通りである。【０００９】  先ず、数本の棹（５）を横列に嵌め込んだ２本の支柱（４）からなる二つの脚部（２）、また、それぞれの脚部（２）の支柱（４）の最上部にそれぞれ付設した、数本の棹（５）を横列に嵌め込んだ支持板（６）の先端部を重ね合わせた狭間に調節板（７）を縦に刺し込み、支持板（６）の上からピン１（８）を通し、かつ、支持板（６）を外して調節板（７）の下部をピン２（９）を通しで、二つの脚部（２）を接続する連結部（３）をもって構築された、折り畳み式の洗濯物干しラック（１）に関する装置である。【００１０】  次に、それぞれの脚部（２）の支柱（４）に付設した支持板（６）よりも上部に備置し、かつ、二つの脚部（２）に渡した閉脚ストッパー（１０）を特徴とした、折り畳み式の洗濯物干しラック（１）である。
【考案を実施するための形態】
【００１１】  この考案の実施の形態は、次の通りである。
【００１２】  図１に示すように、数本の棹（５）を横列に嵌め込んだ２本の支柱（４）からなる二つの脚部（２）と、それぞれの支柱（４）に付設した、数本の棹（５）を横列に嵌め込んだ支持板（６）を重ね合わせて接続した連結部（３）をもって構築された、折り畳み式の洗濯物干しラック（１）の装置である。
【００１３】  図２に示すように、支持板（６）の先端部を重ね合わせた狭間に調整板（７）を縦に差し込み、また、支持板（６）の上からピン１（８）を通し、かつ、支持板（６）を外して調整板（７）の下部にピン２（９）を通して、二つの脚部（２）とこれらの脚部（２）を接続する連結部（３）をもって構築された、折り畳み式の洗濯物干しラック（１）の装置である。
【００１４】  図３のように、二つの脚部（２）を開脚すると、支持板（６）がピン１（８）を基軸として屈曲し、調整板（７）の下部に通したピン２（８）に当たり停止するようにした、折り畳み式の洗濯物干しラック（１）の装置である。
【００１５】  図２のように、二つの脚部（２）を閉脚するとき、二つの脚部（２）を平行に保持するための閉脚ストッパー（１０）を備置した、折り畳み式の洗濯物干しラック（１）の装置である。
【考案の効果】
【００１６】  この考案の効果は、次の通りである。
【００１７】  先ず、洗濯物干しラック（１）の脚部（２）を開脚しても、せいぜい１ｍ幅で余り場所を取らないし、また、２本の支柱（４）に何本も重ねて棹（５）を横列に嵌め込めば、室内の狭い場所でも、大量の洗濯物を干すことができる。
【００１８】  次に、洗濯物干しラック（１）の脚部（２）を開脚するとき、２枚の支持板（６）の先端部を重ね合わせた狭間に縦に刺し込んだ調整板（７）の２本のピン（８）（９）の作動によって屈曲しかつ固定されるので、大量の洗濯物を掛けても丈夫で安定している
【００１９】  最後に、洗濯物干しラック（１）の脚部（２）を閉脚すると、余り嵩張らないので、狭い場所にも格納することができるので、室内を整理しやすくなる。
【図面の簡単な説明】
【００２０】
【図１】  この考案に係る洗濯物干しラック（１）の脚部（２）を開脚して使用できる状態を示す図面である。
【図２】  この考案に係る洗濯物干しラック（１）の脚部（２）を閉脚して格納する状態を示す図面である。
【図３】  この考案に係る洗濯物干しラック（１）の脚部（２）を開脚して使用できる状態にした時の側面図である。
【符号の説明】
【００２１】  １  洗濯物干しラック
２  脚部
３  連結部
４  支柱
５  棹
６  支持板
７  調整板
８  ピン１
９  ピン２
１０  閉脚ストッパー
【実施例】
【００２２】  この考案の実施例は、次の通りである。【００２３】  この考案は、室内用を主とする折り畳み式の洗濯物干しラック（１）に関する装置である。【００２４】  先ず、洗濯物干しラック（１）は、支柱（４）、棹（５）、支持板（６）、調整板（７）、ピン（８）（９）、閉脚ストッパー（１０）から構成されている。これらは、鋼鉄材のピン（８）（９）を除いて、アルミニュウム等の軽量金属を材料とする。【００２５】  支柱（４）は、細い軽量金属板を材料とする。１，３３ｍの長さを標準とするが、実際には、いろいろの長さを揃えて置いて、適度の長さのものを調節して使用できる。２本の支柱（４）を脚部（２）として二つ用意する。【００２６】  ６本の棹（５）を横列に嵌め込んだ２本の支柱（４）からなる脚部（２）を二つ立脚し、また、支柱（４）にそれぞれ支持板（６）を付設し、かつ、支持板（６）の先端部の重ね合った狭間に調整板（７）を縦に刺し込み、支持板（６）の上からピン１（８）を通して、二つの脚部（２）を接続して連結部（３）とする。【００２７】  ２枚の調整板（７）の外側に支持板（６）を外して、それぞれ、ピン２（９）を通して、支持板（６）の屈曲を制御し、また、支持板（６）に３本の棹（５）を横列に嵌め込んだ状態とする。【００２８】  次に、洗濯物干しラック（１）の脚部（２）を開脚すると、支持板（６）は重ね合せた先端部で屈曲し、かつ、この作動も停止するので、使用できる状態となり、また、脚部（２）を閉脚すると、支持板（６）が元に戻り、格納できる状態となる。【００２９】  脚部（２）を開脚すると、支持板（６）はピン１（８）を基軸として折曲し、ピン２（９）に当たり作動を停止し、逆に、閉脚すると、支持板（６）は元に戻るので、支持板（６）よりも上方に閉脚ストッパー（１０）を掛けて格納する。【００３０】  閉脚ストッパー（１０）は、一方の脚部（２）の支柱（４）の支持板よりも上にピンで固定し、他方の脚部（２）の支柱（４）を折り返し、かつ、外れ落ちを防止するために、その上部にピン止めし、元の脚部（２）の支柱（４）の裏にピンで固定する。
【図１】
0003198678.tif 000003
【図２】
0003198678.tif 000004
【図３】
0003198678.tif 000005